【事件の表示】
　特許第３１８７７０３号「薬剤吊り下げ装置」の請求項１ないし６に係る特許に対する特許異議の申立てについて、次のとおり決定する。
【結　論】
　訂正を認める。
　特許第３１８７７０３号の請求項１ないし６に係る特許を取り消す。
【理　由】
１．手続の経緯
　本件特許第３１８７７０３号の請求項１ないし６に係る発明は、平成８年２月６日に特許出願され、平成１３年５月１１日にその発明について特許の設定登録がなされ、その後、その特許について水谷秀樹により平成１３年１２月１４日に、また佐伯秀行により平成１３年１２月２８日に特許異議の申立てがなされ、取消理由が通知され、その指定期間内である平成１４年１０月２９日に特許異議意見書及び訂正請求書が提出された後審尋がなされ、審尋に対する回答書が佐伯秀行により平成１５年１月８日に、また水谷秀樹により平成１５年１月１０日に提出されたものである。
　
２．訂正請求について
２-1．訂正の内容
　特許権者が求めている訂正の内容は、以下訂正事項ａ及びｂのとおりである（下線部分が訂正個所である）。
訂正事項ａ
（１）願書に添付した明細書（以下、「特許明細書」という。）の特許請求の範囲の【請求項１】の
「横棒に引っかけて該横棒に吊り下げられるフック部を延設し、このフック部の先端部を内側から外側に向かって拡開するテーパー状に形成し、前記横棒を挿入するときこのフック部が反保持空間側に撓んで前記横棒を挿入するために形成した着脱口を拡開させるハンガー本体と、
　前記フック部のハンガー本体側への延設部に対向させて前記着脱口を狭めるように設け、かつ少なくとも前記脱着口の挿入側にテーパー部を設けて、このテーパー部が前記吊り下げる横棒を脱着口に挿入する際にこの横棒をフック部の保持空間内にガイドしつつ前記フック部を撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正し、
（２）特許請求の範囲の【請求項２】の
「横棒に引っかけて該横棒に吊り下げられるフック部を延設し、このフック部の断面形状をＴ字状に形成して弾性変形可能にするとともに、このフック部との間に前記横棒を挿入するための着脱口を形成したハンガー本体と、
　前記フック部のハンガー本体側への延設部に対向させて前記着脱口を狭めるように設け、かつ少なくとも前記脱着口の挿入側にテーパー部を設けて、このテーパー部が前記吊り下げる横棒を脱着口に挿入する際にこの横棒をフック部の保持空間内にガイドしつつ前記フック部を弾性変形させることによって撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正し、
（３）特許請求の範囲の【請求項３】の
「横棒に引っかけて該横棒に吊り下げられるフック部を延設し、このフック部の先端側を内側から外側に向かって拡開するテーパー状に形成し、前記横棒を挿入するときこのフック部が反保持空間側に撓んで前記横棒を挿入するために形成した着脱口を拡開させるハンガー本体と、
　前記フック部のハンガー本体側への延設部に対向させて前記着脱口を狭めるように略山型に形成して設け、かつこの山型の裾野に当たる部分の少なくとも前記脱着口の挿入側にテーパー部を設け、このテーパー部が前記吊り下げる横棒を脱着口に挿入する際にこの横棒をフック部の保持空間内にガイドしつつ前記フック部を撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の先端側を内側から外側に向かって拡開するテーパー状に形成し、前記横棒を挿入するときこのフック部
自体
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正し、
（４）特許請求の範囲の【請求項４】の
「横棒に引っかけて該横棒に吊り下げられるフック部を延設し、このフック部の断面形状をＴ字状に形成して弾性変形可能にするとともに、このフック部の先端部を内側から外側に向かって拡開するテーパー状に形成し、前記横棒を挿入するときこのフック部が反保持空間側に撓んで前記横棒を挿入するために形成した脱着口を拡開させるハンガー本体と、
　前記フック部のハンガー本体側への延設部に対向させて前記着脱口を狭めるように略山型に形成して設け、かつこの山型の裾野に当たる部分の少なくとも前記脱着口の挿入側にテーパー部を設け、このテーパー部が前記吊り下げる横棒を脱着口に挿入する際にこの横棒をフック部の保持空間内にガイドしつつ前記フック部を弾性変形させることによって撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正し、
（５）特許請求の範囲の【請求項５】の
「横棒に引っかけて該横棒に吊り下げられるフック部を延設し、このフック部の断面形状をＴ字状に形成して弾性変形可能にするとともに、このフック部との間に前記横棒を挿入するための着脱口を形成したハンガー本体と、
　前記フック部のハンガー本体側への延設部に対向させて前記着脱口を狭めるように略山型に形成して設け、かつこの山型の裾野に当たる部分の少なくとも前記脱着口の挿入側にテーパー部を設け、このテーパー部が前記吊り下げる横棒を脱着口に挿入する際にこの横棒をフック部の保持空間内にガイドしつつ前記フック部を弾性変形させることによって撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の断面形状をＴ字状に形成して
自体を
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正し、
（６）特許請求の範囲の【請求項６】の
「横棒に引っかけて該横棒に吊り下げられるフック部を延設し、このフック部の断面形状をＴ字状に形成して弾性変形可能にするとともに、このフック部の先端部を内側から外側に向かって拡開するテーパー状に形成し、前記横棒を挿入するときこのフック部が反保持空間側に撓んで前記横棒を挿入するために形成した着脱口を拡開させるハンガー本体と、
　前記フック部のハンガー本体側への延設部に対向させて前記着脱口を狭めるように設け、かつ少なくとも前記脱着口の挿入側にテーパー部を設けて、このテーパー部が前記吊り下げる横棒を脱着口に挿入する際にこの横棒をフック部の保持空間内にガイドしつつ前記フック部を弾性変形させることによって撓ませて、又は前記フック部と自身の両方を撓ませて前記着脱口の径を広げるようにガイドするストッパー部と、
　前記ハンガー本体から下方に設けて内部に薬剤収納部を形成した薬剤収納体と、
　を備えたことを特徴とする薬剤吊り下げ装置。」を、特許請求の範囲の減縮を目的として、
「横棒に引っかけて該横棒に吊り下げられるフック部を延設し、このフック部の断面形状をＴ字状に形成して
自体を
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。」と訂正する。
訂正事項ｂ
　上記特許請求の範囲の訂正に伴い、特許請求の範囲と発明の詳細な説明との整合を図るため、明瞭でない記載の釈明を目的として特許明細書を以下のとおり訂正する。
（１）段落【０００５】、【０００６】、【００７４】及び【００７６】を削除し、
（２）段落【０００７】、【００１３】、【００１４】、【００１５】、【００１６】、【００１７】、【００１８】、【００７５】及び【００７７】を次のとおりに訂正する。
【０００７】「【発明が解決しようとする課題】合成樹脂、パルプ等に揮発性の防虫剤等の薬液剤を含浸したものを収納した薬剤容器は、軽量がゆえに洋服ダンス等で設置されている横棒に吊した場合、衣類の出し入れの際に出し入れする衣類に薬剤容器が接触すると横棒から脱落してしまうという問題があった。」
【００１３】「請求項１に記載の薬剤吊り下げ装置は、横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００１４】「請求項２に記載の薬剤吊り下げ装置は、横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００１５】「請求項３に記載の薬剤吊り下げ装置は、横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００１６】「請求項４に記載の薬剤吊り下げ装置は、横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００１７】「請求項５に記載の薬剤吊り下げ装置は、横棒に引っかけて該横棒に吊り下げられるフック部を延設し、このフック部の断面形状をＴ字状に形成して
自体を
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００１８】「請求項６に記載の薬剤吊り下げ装置は、横棒に引っかけて該横棒に吊り下げられるフック部を延設し、このフック部の断面形状をＴ字状に形成して
自体を
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。」
【００７５】「このように、本発明に用いられる薬剤としては、防虫剤、芳香剤、防臭剤、防かび剤、殺虫剤、誘引剤等の揮散性薬剤である。」
【００７７】「好ましくは、揮散性の薬液剤合成樹脂またはパルプからなる不織布や紙に含浸して用いられる。」
（なお、段落【００１８】を含み【請求項６】の訂正において、「フック部の先端形状をＴ字状に形成して」は、「フック部の断面形状をＴ字状に形成して」の明らかな誤記と認められるから、【請求項６】の訂正を上記のとおりに認定した。）
　
２-2．訂正の適否
　上記特許請求の範囲の訂正において、訂正事項ａにおいて、請求項１ないし請求項６の「フック部が反保持空間側に撓んで」及び「前記フック部を撓ませて、」を、「フック部
自体
自体
　同じく訂正事項ａにおいて、請求項１ないし請求項６の「少なくとも前記脱着口の挿入側にテーパー部を設けて、このテーパー部が前記吊り下げる横棒を脱着口に挿入する際に」を、「少なくとも前記脱着口の挿入側に
上向きの
上向きの
　同じく訂正事項ａにおいて、請求項１ないし請求項６の「横棒を脱着口に挿入する際にこの横棒をフック部の保持空間内にガイドしつつ前記フック部を撓ませて」を、「横棒を脱着口に挿入する際にこの横棒をフック部の保持空間内にガイドしつつ
該横棒によって
自体
　同じく訂正事項ａにおいて、請求項１ないし請求項６の「ハンガー本体から下方に設けて内部に薬剤収納部を形成した薬剤収納体」を、「ハンガー本体から下方に設けて内部に揮散性の薬剤を含浸させたものを収納する薬剤収納部を形成した薬剤収納体」とする訂正は、薬剤収納部に収納する薬剤を特定するものであるから、特許請求の範囲の減縮を目的とするものである。そして、この訂正に関し、段落【００７７】に、「好ましくは、揮散性の薬液剤を合成樹脂またはパルプからなる不織布や紙に含浸して用いられる。」と記載されているとともに、段落【０００７】、【００２３】などに薬剤収納部に収納する薬剤が揮散性の薬剤を含浸させたものであることが記載されている。してみると、この訂正は、願書に添付した明細書又は図面に記載した事項の範囲内の訂正であって、新規事項の追加に該当せず、また実質上特許請求の範囲を拡張し、又は変更するものでもない。
　同じく訂正事項ａにおいて、請求項２、請求項４ないし請求項６の「このフック部の断面形状をＴ字状に形成して弾性変形可能に形成する」を、「このフック部の断面形状をＴ字状に形成して
フック部自体が
　訂正事項ｂは、上記特許請求の範囲を訂正することに伴い発明の詳細な説明を同様に訂正するものであるから、願書に添付した明細書又は図面に記載した事項の範囲内の訂正であって、新規事項の追加に該当せず、また実質上特許請求の範囲を拡張し、又は変更するものでもない。
　
２-3．むすび
　以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
３-1．本件発明
　上記２．で示したように上記訂正が認められるから、本件請求項１ないし６に係る発明は、上記訂正に係る訂正明細書の特許請求の範囲の請求項１ないし６に記載された次の事項により特定されるとおりのものである。
「【請求項１】　横棒に引っかけて該横棒に吊り下げられるフック部を延設し、このフック部の先端部を内側から外側に向かって拡開するテーパー状に形成し、前記横棒を挿入するときこのフック部自体が反保持空間側に撓んで前記横棒を挿入するために形成した着脱口を拡開させるハンガー本体と、
　前記フック部のハンガー本体側への延設部に対向させて前記着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。
　【請求項２】　横棒に引っかけて該横棒に吊り下げられるフック部を延設し、このフック部の断面形状をＴ字状に形成してフック部自体が弾性変形可能にするとともに、このフック部との間に前記横棒を挿入するための着脱口を形成したハンガー本体と、
　前記フック部のハンガー本体側への延設部に対向させて前記着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。
　【請求項３】　横棒に引っかけて該横棒に吊り下げられるフック部を延設し、このフック部の先端側を内側から外側に向かって拡開するテーパー状に形成し、前記横棒を挿入するときこのフック部自体が反保持空間側に撓んで前記横棒を挿入するために形成した着脱口を拡開させるハンガー本体と、
　前記フック部のハンガー本体側への延設部に対向させて前記着脱口を狭めるように略山型に形成して設け、かつこの山型の裾野に当たる部分の少なくとも前記脱着口の挿入側に上向きのテーパー部を設け、この上向きのテーパー部が前記吊り下げる横棒を脱着口に挿入する際にこの横棒をフック部の保持空間内にガイドしつつ該横棒によって前記フック部自体を撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。
　【請求項４】　横棒に引っかけて該横棒に吊り下げられるフック部を延設し、このフック部の断面形状をＴ字状に形成してフック部自体が弾性変形可能にするとともに、このフック部の先端部を内側から外側に向かって拡開するテーパー状に形成し、前記横棒を挿入するときこのフック部が反保持空間側に撓んで前記横棒を挿入するために形成した脱着口を拡開させるハンガー本体と、
　前記フック部のハンガー本体側への延設部に対向させて前記着脱口を狭めるように略山型に形成して設け、かつこの山型の裾野に当たる部分の少なくとも前記脱着口の挿入側に上向きのテーパー部を設け、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。
　【請求項５】　横棒に引っかけて該横棒に吊り下げられるフック部を延設し、このフック部の断面形状をＴ字状に形成して自体を弾性変形可能にするとともに、このフック部との間に前記横棒を挿入するための着脱口を形成したハンガー本体と、
　前記フック部のハンガー本体側への延設部に対向させて前記着脱口を狭めるように略山型に形成して設け、かつこの山型の裾野に当たる部分の少なくとも前記脱着口の挿入側に上向きのテーパー部を設け、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。
　【請求項６】　横棒に引っかけて該横棒に吊り下げられるフック部を延設し、このフック部の断面形状をＴ字状に形成して自体を弾性変形可能にするとともに、このフック部の先端部を内側から外側に向かって拡開するテーパー状に形成し、前記横棒を挿入するときこのフック部が反保持空間側に撓んで前記横棒を挿入するために形成した着脱口を拡開させるハンガー本体と、
　前記フック部のハンガー本体側への延設部に対向させて前記着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部と、
　前記ハンガー本体から下方に設けて内部に揮散性の薬剤を含浸させたものを収納する薬剤収納部を形成した薬剤収納体と、
　を備えたことを特徴とする薬剤吊り下げ装置。」
　なお、請求項６に係る発明において、請求項６では「フック部の先端形状をＴ字状に形成して」と記載しているが、該記載は「フック部の断面形状をＴ字状に形成して」の明らかな誤記と認められるから、請求項６に係る発明を上記のとおり認定し、また、「脱着口」と「着脱口」については記載どおりとした。
　
３-2．引用刊行物記載の発明
（１）平成１４年８月１６日付け取消理由に引用した、本件特許の出願前に頒布された刊行物である「意匠登録第７８７９５４号公報」（以下、「引用刊行物１」という）には、
　意匠に係る物品が「防虫剤用容器」であって、説明として「本物品は防虫液を含浸させた片を内蔵した後、洋服ダンスの洋服吊棒等に吊り下げて使用するものである。」と記載されている。そして図面等の記載からみて、引用刊行物１には、
「洋服ダンスの洋服吊棒等に吊り下げられるフック部を延設し、このフック部の断面形状をＴ字状に形成するとともに、このフック部との間に吊棒等を挿入するための着脱口を形成したハンガー本体と、
　前記ハンガー本体から下方に設けて内部に防虫液を含浸させたものを収納する薬剤収納部を形成した薬剤収納体と、
　を備えた防虫剤用容器」
が記載されている。
（２）同じく取消理由に引用した、本件特許の出願前に頒布された刊行物である「実願平４−５２３７号（実開平５−６７２６５号）のＣＤ−ＲＯＭ」（以下、「引用刊行物２」という）には、
（２-a）「本考案は板状の蒸散剤を収納する蒸散剤ケースに関し、室温程度の温度により自然蒸散する蒸散剤を、室内の適当な箇所、特に洋服ダンス、押入れなどの中に置いたり、或はつり下げたりするときに該蒸散剤を収容する蒸散剤ケースに関するものである。」（段落【０００１】）こと、
（２-b）「板状蒸散剤としては、例えばパルプ、樹脂、透過性中空板状収納体などに含浸、練込み、充填、或いはゲル化剤、昇華性担体、固化剤などを用いて板状に成形したもの等を例示することができる」（段落【０００８】）こと、
（２-c）「本考案の構成上の特徴を述べると、先ず、図１において、１は、例えば前板２、後板３の二枚に板体を別々に成形するか、或は開いた状態で一体成形して、両板２、３を重ね合わせるように接合した容器本体であり、４は、容器本体１の上方中央に形成した凹窪部であって、ケース横方向に開口している。
　凹窪部４には前記前板２と後板３の当該接合面を切欠いて形成した透孔からなる複数個の上方の揮散孔５が穿孔されていて、該凹窪部４の上部は手前に延長されており、ハンガー掛け２０等の引掛具に適宜係合できる吊下げ部６に形成されている。」（段落【００１２】）こと、
（２-d）「容器本体１の上方に横方向に開口した凹窪部４が容器本体側に窪むような構成であることから、従来のもののようにフック状の吊り下げ部が容器本体から張り出した形状に比べて、この吊り下げ部の強度を大きくし易くできるだけでなく、例えば横棒状のハンガー掛け等に引っかけるときには、容器本体の縁部がその引っかけ操作時のガイド機能を有しおり、例えばタンスの奥の方に手探りで引っかけ操作を行うとき等の使い勝手を向上できる。」（段落【００２０】）こと、が図面とともに記載されている。
（３）同じく取消理由に引用した、本件特許の出願前に頒布された刊行物である「実願平２−７４７６１号（実開平４−３２６８９号）のマイクロフィルム（以下、「引用刊行物３」という）には、
（３-a）「第１図は本考案の物干しざお用フックの使用状態を示す斜視図であり、図中１として示すのが、長尺の物干しざおである。そして該物干しざお１の直径よりもやや大なる内径部２を有し、該内径部２の内側に略三角形状の突片３を形成した略半円状の係止部４を合成樹脂等で形成するのである。本実施例では、第２図に示すように、この係止部４の内径部２に前記突片３をほぼ対向するとともに、少なくとも内径部２側の突片３、３間が物干しざお１の半周以上となる位置に２個形成している。」（明細書第４頁第９行〜第１９行）こと、
（３-b）「又、前記係止部４の他方側端部をやや拡開させるべく、他端から外側に突出片６を形成することで、物干しざお１への係合を容易にしている。」（同第５頁第３行〜第６行）こと、
（３-c）「前述のように形成した本考案の物干しざお用フックの係止部４の開放部７を物干しざお１に外挿すると、略三角形状の突片３、３に一旦当接する。そして更に押し込むと、部材のもつ弾性によって前記突片３、３間を拡開しながら乗り込えて該突片３、３間の内径部２に内嵌されるのである。」（同第５頁第７行〜第１２行）こと、が図面とともに記載されている。
　
３-3．対比、判断
（１）本件請求項１に係る発明について
　本件請求項１に係る発明と引用刊行物１記載の発明とを対比すると、引用刊行物１記載の発明における「洋服ダンスの洋服吊棒」は、通常横方向に配されており本件請求項１に係る発明における「横棒」に相当する。また引用刊行物１記載の発明における「防虫剤用容器」は、防虫液を含浸させた片を内部に収納し、洋服ダンスの洋服吊棒等に吊り下げて使用するものであるから、本件請求項１に係る発明における「薬剤吊り下げ装置」に対応する。したがって、上記両者は、
「横棒に引っかけて該横棒に吊り下げられるフック部を延設するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（１−Ａ）ないし（１−Ｄ）で相違している。
（１−Ａ）本件請求項１に係る発明では、フック部の先端部を内側から外側に向かって拡開するテーパー状に形成しているのに対し、引用刊行物１記載の発明では、そのような構成が採られていない点。
（１−Ｂ）本件請求項１に係る発明では、横棒を挿入するときフック部自体が反保持空間側に撓んで横棒を挿入するために形成した着脱口を拡開させるのに対し、引用刊行物１記載の発明では、前記構成が不明である点。
（１−Ｃ）本件請求項１に係る発明では、フック部のハンガー本体側への延設部に対向させて着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（１−Ｄ）本件請求項１に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（１−Ａ）について
　引用刊行物３には、物干しざお用フックにおいて、係止部４の先端部に内側から外側に向かって拡開する突出片６を形成すること、すなわち引用刊行物３には、フック部に相当する係止部４の先端部を内側から外側に向かって拡開するテーパー状に形成することが記載されている。そして引用刊行物１記載の発明におけるフック部に関する技術と引用刊行物３記載の発明におけるフックに関する技術はいずれもハンガーの係止部分に関する技術であって同じ技術分野に属するから、引用刊行物３記載の上記技術を引用刊行物１記載の薬剤吊り下げ装置に施し、相違点（１−Ａ）における本件請求項１に係る発明の構成とすることは当業者が容易に想到し得ることである。
　相違点（１−Ｂ）について
　引用刊行物３には、「物干しざお１の直径よりもやや大なる内径部２を有し、該内径部２の内側に略三角形状の突片３を形成した略半円状の係止部４を合成樹脂等で形成する」（上記（３-a）参照）、「本考案の物干しざお用フックの係止部４の開放部７を物干しざお１に外挿すると、略三角形状の突片３、３に一旦当接する。そして更に押し込むと、部材のもつ弾性によって前記突片３、３間を拡開しながら乗り込えて該突片３、３間の内径部２に内嵌されるのである。」（上記（３-c）参照）と記載され、引用刊行物３には、フック自体が弾性変形して着脱口を拡開し物干しざおを内嵌することが明記されてはいない。しかしながら、引用刊行物３にはフックの内側部分に設けられた突片３、３自体を弾性によって拡開し物干しざおを内嵌するとの記載はなく（単に「部材のもつ弾性によって突片３、３間を拡開」と記載されているだけである。）、また突片３、３自体に弾性を持たせるような構成も採られていない。そして引用刊行物３記載の物干しざお用フックは、図面の記載から明らかなように長尺の部材として構成され、しかも該フックは突片３、３を含めて合成樹脂等で形成されている。さらにハンガー或いは引掛具において、フックを長尺なものとし、かつ合成樹脂等で形成することにより、フック自体を弾性変形させ着脱口を拡開させることは従来周知である〔例えば、実公昭４６−８３３１号公報（取消理由で引用した引用刊行物２）、実公昭４９−３７５０２号公報（同じく引用した引用刊行物７）、実願平３−１０３１７６号（実開平６−５３４３８号）のＣＤ−ＲＯＭ（同じく引用した引用刊行物８）　参照〕。これら事項を参酌すれば、引用刊行物３記載のフックは、突片３、３間（すなわち、着脱口）を該突片３、３自体の弾性変形によって拡開し物干しざおを内嵌させるものとは認められず、少なくともフック自体が弾性変形して反保持空間側に撓み突片３、３間（すなわち、着脱口）を拡開し物干しざおを内嵌させるものと認められる。したがって引用刊行物３には、横棒（物干しざお）を挿入するときフック自体が反保持空間側に撓んで前記横棒を挿入するために形成した着脱口を拡開させる構成が開示されているものと認められる。そして引用刊行物１記載のフック部に関する技術と引用刊行物３記載のフックに関する技術はいずれもハンガーの係止部分に関する技術であって同じ技術分野に属するから、引用刊行物３記載の上記技術を引用刊行物１記載の薬剤吊り下げ装置に施し、相違点（１−Ｂ）における本件請求項１に係る発明の構成とすることは当業者が容易に想到し得ることである。
　相違点（１−Ｃ）について
　引用刊行物３には、フックのハンガー本体側への延設部に対向させて略三角形状の突片３を設けることが記載され、この略三角形状の突片３は、着脱口を狭めるようように設け、かつ少なくとも脱着口の挿入側に上向きのテーパー部を設けた構成となっている。そして引用刊行物３には、突片３の脱着口の挿入側に配された上向きのテーパー部が吊り下げる横棒（物干しざお）をフック部の保持空間内にガイドする点について明記されてはいない。しかしながら、引用刊行物２には、蒸散剤ケース（薬剤吊り下げ装置に相当）において、吊り下げる横棒（ハンガー掛け２０）を着脱口（脱着口）に挿入する際にこの横棒を保持空間内にガイドすることが記載され、このように横棒をガイドすることは薬剤吊り下げ装置において知られた技術であるとともに、引用刊行物３には「本考案の物干しざお用フックの係止部４の開放部７を物干しざお１に外挿すると、略三角形状の突片３、３に一旦当接する。そして更に押し込むと、部材のもつ弾性によって前記突片３、３間を拡開しながら乗り込えて該突片３、３間の内径部２に内嵌されるのである。」（上記（３-c）参照）と記載され、この記載からみて、物干しざお１は、突片３、３によりガイドされて保持空間内に収容されることが示唆されているものと認められる。してみると、引用刊行物３記載の上記技術を引用刊行物１記載の薬剤吊り下げ装置に施し、フック部のハンガー本体側への延設部に対向させて前記着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドすること、さらには上記相違点（１−Ｂ）で検討したように引用刊行物３には、横棒によってフック（フック部）自体を弾性変形させること等によって撓ませて着脱口（脱着口）の径を拡開することが記載され、着脱口（脱着口）の径を広げるガイドとすること、すなわち相違点（１−Ｃ）における本件請求項１に係る発明の構成とすることは、引用刊行物２記載の事項を基礎とし、引用刊行物３記載の事項から当業者が容易に想到し得ることである。
　相違点（１−Ｄ）について
　引用刊行物２には、薬剤吊り下げ装置に相当する蒸散剤ケースにおいて、室温程度の温度により自然蒸散する蒸散剤を、例えばパルプ、樹脂、透過性中空板状収納体などに含浸したものを内部に収納することが開示されており、引用刊行物２記載の蒸散剤は、揮散性の薬剤と認められる。してみると、引用刊行物１記載の薬剤吊り下げ装置において、防虫液として（或いは、防虫液にかえて）引用刊行物２記載の揮散性の薬剤を用いる程度のことは、いずれも薬剤吊り下げ装置に関する技術であることから当業者が容易になし得ることである。
　そして、本件請求項１に係る発明が奏する作用、効果は、引用刊行物１ないし３記載の発明から容易に予測することができたものである。
　したがって、本件請求項１に係る発明は、引用刊行物１ないし３記載の発明に基づいて当業者が容易に発明をすることができたものである。
（２）本件請求項２に係る発明について
　本件請求項２に係る発明と引用刊行物１記載の発明とを対比すると、引用刊行物１記載の発明における「洋服ダンスの洋服吊棒」は、通常横方向に配されており本件請求項２に係る発明における「横棒」に相当する。また引用刊行物１記載の発明における「防虫剤容器」は、防虫液を含浸させた片を内部に収納し、洋服ダンスの洋服吊棒等に吊り下げて使用するものであるから、本件請求項２に係る発明における「薬剤吊り下げ装置」に対応する。したがって、上記両者は、
「横棒に引っかけて該横棒に吊り下げられるフック部を延設し、このフック部の断面形状をＴ字状に形成するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（２−Ａ）ないし（２−Ｃ）で相違している。
（２−Ａ）本件請求項２に係る発明では、フック部自体が弾性変形可能であるのに対し、引用刊行物１記載の発明では、フック部自体が弾性変形可能であるか否か不明である点。
（２−Ｂ）本件請求項２に係る発明では、フック部のハンガー本体側への延設部に対向させて着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（２−Ｃ）本件請求項２に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（２−Ａ）について
　引用刊行物３には、「物干しざお１の直径よりもやや大なる内径部２を有し、該内径部２の内側に略三角形状の突片３を形成した略半円状の係止部４を合成樹脂等で形成する」（上記（３-a）参照）、「本考案の物干しざお用フックの係止部４の開放部７を物干しざお１に外挿すると、略三角形状の突片３、３に一旦当接する。そして更に押し込むと、部材のもつ弾性によって前記突片３、３間を拡開しながら乗り込えて該突片３、３間の内径部２に内嵌されるのである。」（同第５頁第７行〜第１２行）と記載され、引用刊行物３には、フック自体が弾性変形して着脱口を拡開し物干しざおを内嵌することが明記されてはいない。しかしながら、引用刊行物３にはフックの内側部分に設けられた突片３、３自体を弾性によって拡開し物干しざおを内嵌するとの記載はなく（単に「部材のもつ弾性によって突片３、３間を拡開」と記載されているだけである。）、また突片３、３自体に弾性を持たせるような構成も採られていない。そして引用刊行物３記載の物干しざお用フックは、図面の記載から明らかなように長尺の部材として構成され、しかも該フックは突片３、３を含めて合成樹脂等で形成されている。さらにハンガー或いは引掛具において、フックを長尺なものとし、かつ合成樹脂等で形成することにより、フック自体を弾性変形させ着脱口を拡開させることは従来周知である〔例えば、実公昭４６−８３３１号公報（取消理由で引用した引用刊行物２）、実公昭４９−３７５０２号公報（同じく引用した引用刊行物７）、実願平３−１０３１７６号（実開平６−５３４３８号）のＣＤ−ＲＯＭ（同じく引用した引用刊行物８）　参照〕。これら事項を参酌すれば、引用刊行物３記載のフックは、突片３、３間（すなわち、着脱口）を該突片３、３自体の弾性変形によって拡開し物干しざおを内嵌させるものとは認められず、少なくともフック自体が弾性変形して反保持空間側に撓み突片３、３間（すなわち、着脱口）を拡開し物干しざおを内嵌させるものと認められる。したがって引用刊行物３には、横棒（物干しざお）を挿入するときフック自体が反保持空間側に撓んで前記横棒を挿入するために形成した着脱口を拡開させる構成が開示されているものと認められる。そして引用刊行物１記載のフック部に関する技術と引用刊行物３記載のフックに関する技術はいずれもハンガーの係止部分に関する技術であって同じ技術分野に属するから、引用刊行物３記載のフック部自体を弾性変形可能とする技術を引用刊行物１記載の薬剤吊り下げ装置に施し、相違点（２−Ａ）における本件請求項２に係る発明の構成とすることは当業者が容易に想到し得ることである。
　相違点（２−Ｂ）については、
上記「（１）本件請求項１に係る発明について」における「相違点（１−Ｃ）について」に記載した理由により、相違点（２−Ｂ）における本件請求項２に係る発明の構成とすることは当業者が容易に想到し得ることである。
　相違点（２−Ｃ）については、上記「（１）本件請求項１に係る発明について」における「相違点（１−Ｄ）について」に記載した理由により当業者が容易になし得ることである。
　そして、本件請求項２に係る発明が奏する作用、効果は、引用刊行物１ないし３記載の発明から容易に予測することができたものである。
　したがって、本件請求項２に係る発明は、引用刊行物１ないし３記載の発明に基づいて当業者が容易に発明をすることができたものである。
（３）本件請求項３に係る発明について
　本件請求項３に係る発明と引用刊行物１記載の発明とを対比すると、引用刊行物１記載の発明における「洋服ダンスの洋服吊棒」は、通常横方向に配されており本件請求項３に係る発明における「横棒」に相当する。また引用刊行物１記載の発明における「防虫剤容器」は、防虫液を含浸させた片を内部に収納し、洋服ダンスの洋服吊棒等に吊り下げて使用するものであるから、本件請求項３に係る発明における「薬剤吊り下げ装置」に対応する。したがって、上記両者は、
「横棒に引っかけて該横棒に吊り下げられるフック部を延設するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（３−Ａ）ないし（３−Ｄ）で相違している。
（３−Ａ）本件請求項３に係る発明では、フック部の先端部を内側から外側に向かって拡開するテーパー状に形成しているのに対し、引用刊行物１記載の発明では、そのような構成が採られていない点。
（３−Ｂ）本件請求項３に係る発明では、横棒を挿入するときフック部自体が反保持空間側に撓んで横棒を挿入するために形成した着脱口を拡開させるのに対し、引用刊行物１記載の発明では、前記構成が不明である点。
（３−Ｃ）本件請求項３に係る発明では、フック部のハンガー本体側への延設部に対向させて着脱口を狭めるように略山型に形成して設け、かつこの山型の裾野に当たる部分の少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（３−Ｄ）本件請求項３に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（３−Ａ）については、上記「（１）本件請求項１に係る発明について」における「相違点（１−Ａ）について」に記載した理由により、相違点（３−Ａ）における本件請求項３に係る発明の構成とすることは当業者が容易に想到し得ることである。
　相違点（３−Ｂ）については、上記「（１）本件請求項１に係る発明について」における「相違点（１−Ｂ）について」に記載した理由により、相違点（３−Ｂ）における本件請求項３に係る発明の構成とすることは当業者が容易に想到し得ることである。
　相違点（３−Ｃ）について
　引用刊行物３には、フックのハンガー本体側への延設部に対向させて略三角形状の突片３を設けることが記載され、この略三角形状の突片３は、着脱口を狭めるようように略山型に形成して設け、かつこの山型の裾野に当たる部分の少なくとも脱着口の挿入側に上向きのテーパー部を設けた構成となっている。そして引用刊行物３には、突片３の脱着口の挿入側に配された上向きのテーパー部が吊り下げる横棒（物干しざお）をフック部の保持空間内にガイドする点について明記されてはいない。しかしながら、引用文献５には、蒸散剤ケース（薬剤吊り下げ装置に相当）において、吊り下げる横棒（ハンガー掛け２０）を着脱口（脱着口）に挿入する際にこの横棒を保持空間内にガイドすることが記載され、このように横棒をガイドすることは薬剤吊り下げ装置において知られた技術であるとともに、引用刊行物３には「本考案の物干しざお用フックの係止部４の開放部７を物干しざお１に外挿すると、略三角形状の突片３、３に一旦当接する。そして更に押し込むと、部材のもつ弾性によって前記突片３、３間を拡開しながら乗り込えて該突片３、３間の内径部２に内嵌されるのである。」（同第５頁第７行〜第１２行）と記載され、この記載からみて、物干しざお１は、突片３、３によりガイドされて保持空間内に収容されることが示唆されているものと認められる。してみると、引用刊行物３記載の上記技術を引用刊行物１記載の薬剤吊り下げ装置に施し、フック部のハンガー本体側への延設部に対向させて着脱口を狭めるように略山型に形成して設け、かつこの山型の裾野に当たる部分の少なくとも前記脱着口の挿入側に上向きのテーパー部を設けて、この上向きのテーパー部が前記吊り下げる横棒を脱着口に挿入する際にこの横棒をフック部の保持空間内にガイドすること、さらには上記相違点（３−ｂ）で検討したように引用刊行物３には、横棒によってフック（フック部）自体を撓ませて着脱口（脱着口）の径を拡開することが記載され、着脱口（脱着口）の径を広げるガイドとすること、すなわち相違点（３−Ｃ）における本件請求項３に係る発明の構成とすることは、引用刊行物２記載の事項を基礎とし、引用刊行物３記載の事項から当業者が容易に想到し得ることである。
　相違点（３−Ｄ）については、上記「（１）本件請求項１に係る発明について」における「相違点（１−Ｄ）について」に記載した理由により当業者が容易になし得ることである。
　そして、本件請求項３に係る発明が奏する作用、効果は、引用刊行物１ないし３記載の発明から容易に予測することができたものである。
　したがって、本件請求項３に係る発明は、引用刊行物ないし３記載の発明に基づいて当業者が容易に発明をすることができたものである。
（４）本件請求項４に係る発明について
　本件請求項４に係る発明と引用刊行物１記載の発明とを対比すると、引用刊行物１記載の発明における「洋服ダンスの洋服吊棒」は、通常横方向に配されており本件請求項４に係る発明における「横棒」に相当する。また引用刊行物１記載の発明における「防虫剤容器」は、防虫液を含浸させた片を内部に収納し、洋服ダンスの洋服吊棒等に吊り下げて使用するものであるから、本件請求項４に係る発明における「薬剤吊り下げ装置」に対応する。したがって、上記両者は、
「横棒に引っかけて該横棒に吊り下げられるフック部を延設し、このフック部の断面形状をＴ字状に形成するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（４−Ａ）ないし（４−Ｄ）で相違している。
（４−Ａ）本件請求項４に係る発明では、フック部自体が弾性変形可能にするとともに、横棒を挿入するときこのフック部が反保持空間側に撓んで横棒を挿入するために形成した脱着口を拡開させるのに対し、引用刊行物１記載の発明では、フック部自体が弾性変形可能であるか等の構成が不明である点。
（４−Ｂ）本件請求項４に係る発明では、フック部の先端部を内側から外側に向かって拡開するテーパー状に形成しているのに対し、引用刊行物１記載の発明では、そのような構成が採られていない点。
（４−Ｃ）本件請求項４に係る発明では、フック部のハンガー本体側への延設部に対向させて着脱口を狭めるように略山型に形成して設け、かつこの山型の裾野に当たる部分の少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（４−Ｄ）本件請求項４に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（４−Ａ）については、上記「（１）本件請求項１に係る発明について」における「相違点（１−Ｂ）について」に記載した理由により、相違点（４−Ａ）における本件請求項４に係る発明の構成とすることは当業者が容易に想到し得ることである。
　相違点（４−Ｂ）については、上記「（１）本件請求項１に係る発明について」における「相違点（１−Ｂ）について」に記載した理由により、相違点（４−Ｂ）における本件請求項４に係る発明の構成とすることは当業者が容易に想到し得ることである。
　相違点（４−Ｃ）については、上記「（３）本件請求項３に係る発明について」における「相違点（３−Ｃ）について」に記載した理由により、相違点（４−Ｃ）における本件請求項４に係る発明の構成とすることは当業者が容易に想到し得ることである。
　相違点（４−Ｄ）については、上記「（１）本件請求項１に係る発明について」における「相違点（１−Ｄ）について」に記載した理由により当業者が容易になし得ることである。
　そして、本件請求項４に係る発明が奏する作用、効果は、引用刊行物１ないし３記載の発明から容易に予測することができたものである。
　したがって、本件請求項４に係る発明は、引用刊行物１ないし３記載の発明に基づいて当業者が容易に発明をすることができたものである。
（５）本件請求項５に係る発明について
　本件請求項５に係る発明と引用刊行物１記載の発明とを対比すると、引用刊行物１記載の発明における「洋服ダンスの洋服吊棒」は、通常横方向に配されており本件請求項５に係る発明における「横棒」に相当する。また引用刊行物１記載の発明における「防虫剤容器」は、防虫液を含浸させた片を内部に収納し、洋服ダンスの洋服吊棒等に吊り下げて使用するものであるから、本件請求項５に係る発明における「薬剤吊り下げ装置」に対応する。したがって、上記両者は、
「横棒に引っかけて該横棒に吊り下げられるフック部を延設し、このフック部の断面形状をＴ字状に形成するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（５−Ａ）ないし（５−Ｃ）で相違している。
（５−Ａ）本件請求項５に係る発明では、フック部自体が弾性変形可能であるのに対し、引用刊行物１記載の発明では、フック部自体が弾性変形可能であるか否か不明である点。
（５−Ｂ）本件請求項５に係る発明では、フック部のハンガー本体側への延設部に対向させて着脱口を狭めるように略山型に形成して設け、かつこの山型の裾野に当たる部分の少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（５−Ｃ）本件請求項５に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（５−Ａ）については、上記「（１）本件請求項１に係る発明について」における「相違点（１−Ｂ）について」に記載した理由により、相違点（５−Ａ）における本件請求項５に係る発明の構成とすることは当業者が容易に想到し得ることである。
　相違点（５−Ｂ）については、上記「（３）本件請求項３に係る発明について」における「相違点（３−Ｃ）について」に記載した理由により、相違点（５−Ｂ）における本件請求項５に係る発明の構成とすることは当業者が容易に想到し得ることである。
　相違点（５−Ｃ）については、上記「（１）本件請求項１に係る発明について」における「相違点（１−Ｄ）について」に記載した理由により当業者が容易になし得ることである。
　そして、本件請求項５に係る発明が奏する作用、効果は、引用刊行物１ないし３記載の発明から容易に予測することができたものである。
　したがって、本件請求項５に係る発明は、引用刊行物１ないし３記載の発明に基づいて当業者が容易に発明をすることができたものである。
（６）本件請求項６に係る発明について
　本件請求項６に係る発明と引用刊行物１記載の発明とを対比すると、引用刊行物１記載の発明における「洋服ダンスの洋服吊棒」は、通常横方向に配されており本件請求項６に係る発明における「横棒」に相当する。また引用刊行物１記載の発明における「防虫剤容器」は、防虫液を含浸させた片を内部に収納し、洋服ダンスの洋服吊棒等に吊り下げて使用するものであるから、本件請求項６に係る発明における「薬剤吊り下げ装置」に対応する。したがって、上記両者は、
「横棒に引っかけて該横棒に吊り下げられるフック部を延設し、このフック部の断面形状をＴ字状に形成するとともに、このフック部との間に前記横棒を挿入する着脱口を形成したハンガー本体と、
　前記ハンガー本体から下方に向けて内部に薬剤を含浸させたものを収納する薬剤収納部を形成した薬剤収納体と、
　を備えた薬剤吊り下げ装置」の点で一致し、下記相違点（６−Ａ）ないし（６−Ｄ）で相違している。
（６−Ａ）本件請求項６に係る発明では、フック部の先端部を内側から外側に向かって拡開するテーパー状に形成しているのに対し、引用刊行物１記載の発明では、そのような構成が採られていない点。
（６−Ｂ）本件請求項６に係る発明では、フック部自体を弾性変形可能にするとともに、横棒を挿入するときこのフック部が反保持空間側に撓んで前記横棒を挿入するために形成した着脱口を拡開させるのに対し、引用刊行物１記載の発明では、フック部自体が弾性変形可能であるか等の構成が不明である点。
（６−Ｃ）本件請求項６に係る発明では、フック部のハンガー本体側への延設部に対向させて着脱口を狭めるように設け、かつ少なくとも前記脱着口の挿入側に上向きのテーパー部を設けて、この上向きのテーパー部が前記吊り下げる横棒を脱着口に挿入する際にこの横棒をフック部の保持空間内にガイドしつつ該横棒によって前記フック部自体を弾性変形させることによって撓ませて、又は前記フック部と自身の両方を撓ませて前記着脱口の径を広げるようにガイドするストッパー部を備えたのに対し、引用刊行物１記載の発明では、そのようなストッパー部を備えたとは認められない点。
（６−Ｄ）本件請求項６に係る発明では、薬剤が揮散性であるのに対し、引用刊行物１記載の発明では、防虫液と記載しているだけであって、該防虫液が揮散性であるのか否か明示がない点。
　そこで、上記相違点について検討する。
　相違点（６−Ａ）については、上記「（１）本件請求項１に係る発明について」における「相違点（１−Ａ）について」に記載した理由により、相違点（６−Ａ）における本件請求項６に係る発明の構成とすることは当業者が容易に想到し得ることである。
　相違点（６−Ｂ）については、上記「（１）本件請求項１に係る発明について」における「相違点（１−Ｂ）について」に記載した理由により、相違点（６−Ｂ）における本件請求項６に係る発明の構成とすることは当業者が容易に想到し得ることである。
　相違点（６−Ｃ）については、上記「（１）本件請求項１に係る発明について」における「相違点（１−Ｃ）について」に記載した理由により、相違点（６−Ｃ）における本件請求項６に係る発明の構成とすることは当業者が容易に想到し得ることである。
　相違点（６−Ｄ）については、上記「（１）本件請求項１に係る発明について」における「相違点（１−Ｄ）について」に記載した理由により当業者が容易になし得ることである。
　そして、本件請求項６に係る発明が奏する作用、効果は、引用刊行物１ないし３記載の発明から容易に予測することができたものである。
　したがって、本件請求項６に係る発明は、引用刊行物１ないし３記載の発明に基づいて当業者が容易に発明をすることができたものである。
　
３-4．むすび
　以上のとおりであるから、本件請求項１ないし６に係る発明は、上記引用刊行物１ないし３に記載された発明に基づいて当業者が容易に発明をすることができたものであるから、本件請求項１ないし６に係る発明についての特許は特許法第２９条第２項の規定に違反してされたものである。
　したがって、本件請求項１ないし６に係る発明についての特許は、特許法第１１３条第２号に該当し、取り消されるべきものである。
　よって、結論のとおり決定する。
【異議決定日】
平成１５年５月１６日（２００３．５．１６）
【訂正の要旨】
審決（決定）の【理由】欄参照。
（５４）【発明の名称】
薬剤吊り下げ装置
（５７）【特許請求の範囲】
　【請求項１】　横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
　【請求項２】　横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
　【請求項３】　横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
　【請求項４】　横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
　【請求項５】　横棒に引っかけて該横棒に吊り下げられるフック部を延設し、このフック部の断面形状をＴ字状に形成して
自体を
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
　【請求項６】　横棒に引っかけて該横棒に吊り下げられるフック部を延設し、このフック部の先端形状をＴ字状に形成して
自体を
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする薬剤吊り下げ装置。
【発明の詳細な説明】
　【０００１】
　【発明の属する技術分野】
　本発明は、脱落落下防止性を向上させた薬剤吊り下げ装置に関する。
　【０００２】
　【従来の技術】
　従来、塩化カルシウム等の潮解性吸湿剤を収納した薬剤容器にフック部による吊り下げ部を設け、洋服ダンス等に設置されている横棒に吊るして使用する除湿剤容器が種々提案されている。また、定型的に固化したパラクロロベンゼン、樟脳等の昇華性物質を収納した容器にフック部を設けた防虫剤容器も種々提案されている。さらに、最近では、合成樹脂、パルプ等に常温揮発性の防虫剤等の薬液剤を含浸したものを収納する薬剤容器にフック部を設けた防虫剤容器も種々提案されている。
　【０００３】
　このような薬剤容器の一例として、実開平５−６７２６５号公報には、外周に揮散孔を有し一側面に嵌着口を備えるとともに板状を呈する薄型の容器本体と、この容器本体の嵌着口に差し込み装填される板状蒸散材とから構成された蒸散材ケースが示されている。
　【０００４】
　この実開平５−６７２６５号公報の蒸散材ケースにおいては、容器本体の上方に、横方向に開口した凹窪部による吊り下げ部が形成されており、この凹窪部が容器本体に窪むような構成であることから、吊り下げ部の強度が大きくなるのと同時に容器本体の固定をしっかりできることが開示されている。
　【０００５】
　【０００６】
　【０００７】
　【発明が解決しようとする課題】
　合成樹脂、パルプ等に揮発性の防虫剤等の薬液剤を含浸したものを収納した薬剤容器は、軽量がゆえに洋服ダンス等で設置されている横棒に吊した場合、衣類の出し入れの際に出し入れする衣類に薬剤容器が接触すると横棒から脱落してしまうという問題があった。
　【０００８】
　さらに、実開平５−６７２６５号公報の蒸散剤ケースでは、吊り下げ部の強度が大きいため、横棒の径が吊り下げ部の着脱口の大きさよりも小さいものしか吊り下げることができないといった問題があった。
　【０００９】
　このように従来の技術において、前記薬剤容器では、洋服ダンス等に設置されている横棒に吊り下げて使用するときに、前記横棒から吊り下げ部が外れて脱落しやすいという問題があるものや、逆に吊り下げ部の強度が大きいため、横棒の径が吊り下げ部の着脱口の大きさよりも小さいものしか吊り下げることができないといった問題があった。
　【００１０】
　そこで本発明は、前記横棒に吊り下げて使用するときの脱落防止性を高めることができる薬剤吊り下げ装置の提供を目的とする。さらに、横棒の径が着脱口の大きさよりも大きくても前記横棒に吊り下げることができるとともに、前記横棒に吊り下げて使用するときの脱落防止性を高めることができる薬剤吊り下げ装置の提供を目的とする。
　【００１１】
　【００１２】
　【００１３】
　請求項１に記載の薬剤吊り下げ装置は、横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１４】
　請求項２に記載の薬剤吊り下げ装置は、横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１５】
　請求項３に記載の薬剤吊り下げ装置は、横棒に引っかけて該横棒に吊り下げられるフック部を延設し、このフック部の先端部を内側から外側に向かって拡開するテーパー状に形成し、前記横棒を挿入するときこのフック部
自体
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１６】
　請求項４に記載の薬剤吊り下げ装置は、横棒に引っかけて該横棒に吊り下げられるフック部を延設し、このフック部の断面形状をＴ字状に形成して
フック部自体が
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１７】
　請求項５に記載の薬剤吊り下げ装置は、横棒に引っかけて該横棒に吊り下げられるフック部を延設し、このフック部の断面形状をＴ字状に形成して
自体を
　前記フック部のハンガー本体側への延設部に対向させて前記着脱口を狭めるように略山型に形成して設け、かつこの山型の裾野に当たる部分の少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１８】
　請求項６に記載の薬剤吊り下げ装置は、横棒に引っかけて該横棒に吊り下げられるフック部を延設し、このフック部の先端形状をＴ字状に形成して
自体を
　前記フック部のハンガー本体側への延設部に対向させて前記着脱口を狭めるように設け、かつ少なくとも前記脱着口の挿入側に
上向きの
上向きの
該横棒によって
自体
　前記ハンガー本体から下方に設けて内部に
揮散性の薬剤を含浸させたものを収納する
　を備えたことを特徴とする。
　【００１９】
　【００２０】
　【００２１】
　【発明の実施の形態】
　以下、図面を参照して説明する。
　【００２２】
　図１は本発明に係る薬剤吊り下げ装置の第１の発明の実施の形態を示す斜視図である。
　【００２３】
　図１において、薬剤吊り下げ装置１は、揮散性薬剤であるところのシート材１０と、このシート材１０を収納する薬剤容器２０とから構成されている。
　【００２４】
　薬剤容器２０は、薬剤収納体であるところの容器本体２１の上側に湾曲状のフック部３０と略山型のストッパー部３１とを形成した構造になっている。
　【００２５】
　容器本体２１は、ガス不透過性またはガス半透過性の部材で楕円状に形成された表側筐体２２と裏側筐体２３とで裏表分割した構造になっており、揮散性の薬液剤が含浸したシート材１０を内部に収納できるようになっている。表側筐体２２には、容器本体２１の内部と外部との間を連通させる連通部として連通孔２４が形成されている。この連通孔２４は、容器本体２１の内部と外部との間でガスの通過を可能にしている。
　【００２６】
　フック部３０は、前記容器本体２１から上方へ延設して先端部をこの容器本体２１側へ向け、この容器本体２１と先端部との間に脱着口３２を形成している。
　【００２７】
　ストッパー部３１は、略山型に形成されており、前記フック部３０の先端部に対向させて前記脱着口３２を狭めるように容器本体２１から突設して設けられている。
　【００２８】
　この場台、フック部３０は、弾性を有する部材により適宜肉厚を調整されており、適切な力で弾性変形可能になっている。これと同様に、ストッパー部３０も、弾性を有する部材により形成されており、適切な力で弾性変形可能になっている。これにより、脱着口３２の径は可変となっている。
　【００２９】
　ここで、第１の発明の実施の形態では、薬剤容器２０は、フック部３０によるハンガー本体と容器本体２１を一体に設けたものとなっている。
　【００３０】
　また、本発明の実施の形態では、フック部３０及びストッパー部３１は、表側筐体２２と一体に形成されているが、表側筐体２２に接着剤等で取付けてもよく、さらに、裏側筐体２３に設けるようにしてもよい。
　【００３１】
　図２は図１の薬剤吊り下げ装置の正面図である。
　【００３２】
　図２において、薬剤吊り下げ装置１のフック部３０と容器本体２１の周縁部に設けられたストッパー部３１とは、保持空間部３３を形成している。フック部３０は、一端側の先端部内側３４から先端部外側３５に向かって拡開形状のテーパー３６を形成している。フック部３０の先端とストッパー部３１の先端の距離Ｄ１、即ち、脱着口３２の径は、前記容器本体を吊り下げる平均的なサイズの横棒の直径に対して小さく設定されている。テーパー３６は、前記脱着口３２に前記容器本体２１を吊り下げる横棒を挿入する際に、フック部３０を撓ませて脱着口３２の径を広げるようにガイドするように形成されている。略山型に形成されたストッパー部３１の裾野にあたる部分３１ａも前記横棒を導くガイドとなっている。
　【００３３】
　図３は図１の薬剤吊り下げ装置の断面図である。
　【００３４】
　図３において、裏側筐体２３の内側には、シート材１０を表側筐体２２の定位置に固定するためのリブ３７が複数形成されている。フック部３０は、その断面をＴ字状に形成することにより、適宜肉厚が調整されており、適切な力で弾性変形可能になっている。表側筐体２２の連通孔２４は、シート材１０の薬液剤が揮散した気体が外側に放出できる放出用開孔部となっている。
　【００３５】
　図４は図１の発明の実施の形態の動作を示す説明図である。
　【００３６】
　まず、図４（ａ）に示すように、薬剤吊り下げ装置１をフック部３０により洋服ダンスの横棒４０に吊り下げる際、横棒４０はストッパー部３１の略山型の形状に沿って吊り下げ完了状態に近づくが、フック部３０の先端部外側３５に接触し妨害される。この後、フック部３０の弾性を利用してさらに薬剤吊り下げ装置１を押し込むと、図４（ｂ）に示すように、フック部３０は、その先端部内側３４から先端部外側３５へ上方に向かって形成してあるテーパー３６によって横棒４０の直径まで広がるように撓ませられてガイドされ、脱着口３２が横棒４０の直径まで広がり、横棒４０が脱着口３２を通過し、図４（ｃ）に示すように、保持空間部３３に横棒４０が収納されてフック部３０による吊り下げが完了する。
　【００３７】
　このような発明の実施の形態によれば、フック部３０を撓ませることにより、横棒４０の径がフック部３０の着脱口３２の大きさよりも大きくても前記横棒４０に吊り下げることができるとともに、前記ストッパー部３０により前記横棒４０に吊り下げて使用するときの脱落防止性を高めることができるので、洋服ダンス用に用いた場合、衣類の出し入れの際に、出し入れする衣類と薬剤吊り下げ装置が接触することによって発生していた薬剤吊り下げ装置の脱落が大幅に解消され、ユーザーに好印象を与えることができとともに、使用出来る横棒の径を拡大することができる。
　【００３８】
　また、フック部３０は、ポリオレフィン系樹脂等により適宜肉厚を調整して適切な弾性変形能力を与えることにより、横棒の直径が保持空間部３３よりも多少大きい場合でも吊り下げ可能となる。ストッパー部３１についても、適切な弾性変形能力を与えることにより、横棒の直径がさらに大きい場合でも吊り下げ可能となる。
　【００３９】
　図５は本発明に係る薬剤吊り下げ装置の第２の発明の実施の形態を示す正面図であり、図１と同じ構成要素には同じ符号を付して説明を省略している。
　【００４０】
　図５において、薬剤吊り下げ装置５は、揮散性薬剤であるところのシート材１０と、このシート材１０を収納する薬剤容器６０とから構成されている。
　【００４１】
　薬剤容器６０は、図１の薬剤容器２０が略同様の外形となっているが、フック部７０とストッパー部７１は、それぞれ前後方向（この場合、図４に示されてる面を前面とする）に折曲可能にするための折曲部８１，８２が設けられており、これら折曲部８１，８２で折曲げることにより、脱着口７２の径Ｄ２を可変できるようにしている。この場合、フック部７０とストッパー部７１を弾性を有する部材で形成し折曲部８１，８２として溝を形成したり、折曲部８１，８２のみ弾性を有する部材とし残りの部分を弾性の無い部材で形成するなど、折曲部としては各種用いることができる。
　【００４２】
　このような発明の実施の形態によれば、図１の発明の実施の形態と同様の効果が得られる。
　【００４３】
　図６は本発明に係る薬剤吊り下げ装置の第３の発明の実施の形態を示す正面図である。
　【００４４】
　図６において、薬剤吊り下げ装置６は、揮散性薬剤であるところのシート材９０と、このシート材９０を収納する薬剤容器１００とから構成されている。
　【００４５】
　薬剤容器１００は、容器本体１０１の上側に逆Ｌ字状のフック部１０２と略山型のストッパー部１０３とを形成した構造になっている。
　【００４６】
　フック部１０２は、容器本体１０１から上方へ延設してから水平方向に延設し、この水平方向の延設部１０４の下側のストッパー部１０３に対抗する位置（延設部１０４の先端よりも手前の位置）に上側ストッパー部となる延設部１０５を形成している。
　【００４７】
　これにより、フック部１０２は、容器本体１０１側へ延設され、この容器本体側への延設部１０５と前記容器本体１０１との間に脱着口１０６を形成している。
　【００４８】フック部１０２及びストッパー部１０３は、弾性を有する部材により適宜肉厚を調整されており、適切な力で弾性変形可能になっている。これにより、脱着口１０６の径は可変となっている。
　【００４９】
　また、容器本体１０１には内部と外部との間を連通させる連通孔１０７が形成されている。
　【００５０】
　このような発明の実施の形態によれば、図１の発明の実施の形態と同様の効果が得られる。
　【００５１】
　図７は本発明に係る薬剤吊り下げ装置の第４の発明の実施の形態を示す正面図である。
　【００５２】
　図７において、薬剤吊り下げ装置７は、揮散性薬剤であるところのＬ字状のシート材１１０と、このシート材１１０を収納する薬剤容器１２０とから構成されている。
　【００５３】
　薬剤容器１２０は、容器本体１２１の上側に段部１２２が形成されることによりＬ字状に形成され、段部１２２の底面１２３に略山型のストッパー部１２４を形成し、段部１２２の側壁１２５から水平方向に向けてフック部１２６を延設している。フック部１２６のストッパー部１２４に対抗する位置には、上側ストッパー部となる突起部１２７を下方に向けて形成している。
　【００５４】
　これにより、フック部１２５は、この容器本体１２１から延設され、この延設部１２６と前記容器本体１２１との間に脱着口１２８を形成している。
　【００５５】また、容器本体１２０には内部と外部との間を連通させる連通孔１２９が形成されている。
　【００５６】
　このような発明の実施の形態によれば、図１の発明の実施の形態と同様の効果が得られる。
　【００５７】
　図８は本発明に係る薬剤吊り下げ装置の第５の発明の実施の形態を示す正面図である。
　【００５８】
　図８において、薬剤吊り下げ装置８は、揮散性薬剤であるところの２つのシート材１５０，１５１と、シート材１５０，１５１を収納する薬剤収納体１６０と、薬剤収納体を取り付けるハンガー本体１７０とから構成される。
　【００５９】
　薬剤収納体１６０は、ガス透過性の樹脂を袋状に形成し、シート材１５０，１５１を上下に収納し、シート材１５０，１５１を収納した薬剤収納部以外の部分を熱圧着することにより、シート材１５０，１５１を定位置に固定している。
　【００６０】
　ハンガー本体１７０は、棒状部１７１の下側に溝１７２を形成し、この溝１７２の内側にリブ１７３を形成し、このリブ１７３により、薬剤収納体１６０の上側を取り付けている。また、棒状部１７１は、上側にフック部１７４を延設し、このフック部１７４との間に脱着口１７５を形成している。
　【００６１】
　棒状部１７１は、前記フック部１７４のハンガー本体１７０側への延設部に対向させて前記脱着口１７５を狭めるようにストッパー部１７６を突設している。
　【００６２】
　フック部１７４及びストッパー部１７６は、弾性を有する部材により適宜肉厚を調整されており、適切な力で弾性変形可能になっている。これにより、脱着口１７５の径は可変となっている。
　【００６３】
　このような発明の実施の形態によれば、図１の発明の実施の形態と同様の効果が得られる。
　【００６４】
　図９は本発明に係る薬剤吊り下げ装置の第６の発明の実施の形態を示す分解した状態の正面図である。
　【００６５】
　図９において、薬剤吊り下げ装置９は、揮散性薬剤であるところのシート材１８０と、シート材１８０を収納する薬剤収納体１９０と、薬剤収納体を取り付けるハンガー本体２００とから構成される。
　【００６６】
　薬剤収納体１９０は、ガス透過性の樹脂を袋状に形成し、シート材１８０を収納し、シート材１８０を収納した薬剤収納部以外の部分を熱圧着することにより、シート材１８０を定位置に固定している。薬剤収納体１９０の上側には、ハンガー本体２００に取り付けられた状態でストッパー部となる突起部１９１が形成されている。突起部１９１は、ストッパー部として用いるための適切な堅さを有するように形成されている。
　【００６７】
　ハンガー本体２００は、２枚の弾性を有する樹脂を、突起部１９１が挿入される挿入部２０１と薬剤収納体１９０の上側が挿入される挿入部２０２を残して熱圧着することにより、一体に形成している。ハンガー本体２００は、上側にフック部２０４を延設し、このフック部２０４との間に脱着口２０５を形成している。
　【００６８】
　図１０は本発明に係る薬剤吊り下げ装置の第６の発明の実施の形態を示す組み立てた状態の正面図である。
　【００６９】
　図１０において、組み立てられた状態の薬剤吊り下げ装置９は、ハンガー本体２００の挿入部２０１に突起部１９１が挿入され、ハンガー本体２００の挿入部２０２に薬剤収納体１９０の上側が挿入されている。この状態では、ハンガー本体２００からは、突起部１９１が、フック部２０４の先端側に対向させて前記脱着口２０５を狭めるようにを突設している。これにより、突起部１９１は、ストッパー部としての機能を有する。
　【００７０】
　フック部２０４及び突起部１９１は、弾性を有する部材により適宜肉厚を調整されており、適切な力で弾性変形可能になっている。これにより、脱着口２０５の径は可変となっている。薬剤収納体１９０は、挿入部２０１，２０２におけるハンガー本体２００の挟む力により脱落しないようになっている。
　【００７１】
　このような発明の実施の形態によれば、図１の発明の実施の形態と同様の効果が得られる。
　【００７２】
　図１乃至図８の薬剤吊り下げ装置は、洋服ダンス、オープンハンガー、下駄箱、収納庫、押し入れ等に設置してある横棒に吊り下げて用いることができる。
　【００７３】
　また、図１乃至図８の発明の実施の形態における揮散性薬剤としては、一般的に防虫剤、芳香剤、消臭剤、防かび剤、殺虫剤、誘引剤から選ばれる１種または２種類以上の揮散性薬剤を用いることができるが、これら以外の揮散性薬剤を用いることも可能である。
　【００７４】
　【００７５】このように、本発明に用いられる薬剤としては、防虫剤、芳香剤、防臭剤、防かび剤、殺虫剤、誘引剤等の揮散性薬剤がある。
　【００７６】
　【００７７】
　好ましくは、揮散性の薬液剤合成樹脂またはパルプからなる不織布や紙に含浸して用いられる。
　【００７８】
　また、本発明に用いられる薬剤容器の素材としては、ポリエチレン、ポリプロピレン、ポリスチレン、ナイロン、ポリエチレンテレフタレート、ポリアセタール、ＡＳ樹脂、ＡＢＳ樹脂、ポリカーボネイト等のポリオレフィン系樹脂が用いられる。好ましくは、ポリエチレン、ポリプロピレンが挙げられる。
　【００７９】
　尚、図１乃至図５の発明の実施の形態では、容器本体の内部と外部との間を連通させる連通孔を表側筐体のみに設けたが、このような連通孔は、表側筐体と裏側筐体とのいずれか一方に設けてもよく、両側に設けてもよい。また、図１乃至図１０の発明の実施の形態では、フック部とストッパー部の両方を撓ませて、または、折曲して前記脱着口の径を可変としたが、フック部とストッパー部の片方を撓ませて、または、折曲して前記脱着口の径を可変とするように構成してもよい。
　【００８０】
　【発明の効果】
　以上説明したように本発明によれば、横棒に吊り下げて使用するときの脱落防止性を高めることができるので、ユーザーに好印象を与えることができる。さらに、横棒の径がフック部の大きさよりも大きくても前記横棒に吊り下げることができるとともに、前記横棒に吊り下げて使用するときの脱落防止性を高めることができるので、使用出来る横棒の径を拡大することができる。
【図面の簡単な説明】
　【図１】
　本発明に係る薬剤吊り下げ装置の第１の発明の実施の形態を示す斜視図。
　【図２】
　図１の薬剤吊り下げ装置の正面図。
　【図３】
　図１の薬剤吊り下げ装置の断面図。
　【図４】
　図１の発明の実施の形態の動作を示す説明図。
　【図５】
　本発明に係る薬剤吊り下げ装置の第２の発明の実施の形態を示す正面図。
　【図６】
　本発明に係る薬剤吊り下げ装置の第３の発明の実施の形態を示す正面図。
　【図７】
　本発明に係る薬剤吊り下げ装置の第４の発明の実施の形態を示す正面図。
　【図８】
　本発明に係る薬剤吊り下げ装置の第５の発明の実施の形態を示す正面図。
　【図９】
　本発明に係る薬剤吊り下げ装置の第６の発明の実施の形態を示す分解した状態の正面図。
　【図１０】
　本発明に係る薬剤吊り下げ装置の第６の発明の実施の形態を示す組み立てた状態の正面図。
　【符号の説明】
　１　　薬剤吊り下げ装置
　１０　　シート材
　２０　　薬剤容器
　２１　　容器本体
　２２　　表側筐体
　２３　　裏側筐体
　２４　　連通孔
　３０　　フック部
　３１　　ストッパー部
　３２　　脱着口